(57)【要約】【課題】簡易な構成で、コネクタ同士の嵌合作業を容易かつ正確に行わせることを可能とする。【解決手段】径方向の内外に重なり合う両円筒状コンタクト１３，２３ａのうちの内方側コンタクト１３の外周表面に、所定の外径寸法Ｄ１を有する挿入基準面１３ｃを軸方向に所定長Ｌにわたって延在するように設けるとともに、その内方側コンタクト１３の挿入基準面１３ｃの外径寸法Ｄ１に対して外方側コンタクト２３ａの内周表面を、略同一の内径寸法Ｄ２（Ｄ２≒Ｄ１）を有する嵌め合い関係とし、内方側コンタクト１３の挿入基準面１３ｃにより外方側コンタクト２３ａを位置決めしつつ円滑に挿入可能とし、その挿入作業を安定かつ正確に行わせるとともに挿入力を小さく抑えて、両コネクタ１０，２０同士の嵌合時における姿勢安定性を向上させ、いわゆる斜め嵌合を防止して良好な嵌合状態を得るとともに電気的な接触状態を向上させるように構成したものである。【選択図】図３
2012230820.tif 000002
【特許請求の範囲】
【請求項１】
印刷配線基板上に実装されるリセプタクルコネクタと、信号伝送媒体の端末部が連結されるプラグコネクタとが嵌合・抜去可能となるように構成されたものであって、
前記リセプタクルコネクタを構成する円筒状コンタクトの先端開口部分に、前記プラグコネクタを構成する円筒状コンタクトの先端開口部分が、径方向の内外に重なり合うように挿入される構成になされた同軸型電気コネクタにおいて、
前記両円筒状コンタクトのうちの径方向内側に位置する内方側コンタクトの外周表面に、所定の外径寸法Ｄ１を有する挿入基準面が、軸方向の所定長Ｌにわたって延在するように形成されているとともに、
前記両円筒状コンタクトのうちの径方向外側に位置する外方側コンタクトの内周表面が、前記内方側コンタクトの挿入基準面の外径寸法Ｄ１に対して略同一の内径寸法Ｄ２（Ｄ２≒Ｄ１）を有する嵌め合い関係に設定されていることを特徴とする同軸型電気コネクタ。
【請求項２】
前記外方側コンタクトが取り付けられた絶縁ハウジングには、前記内方側コンタクトの内周表面に沿って軸方向に延在する略円筒形状の挿入ガイド部が設けられていることを特徴とする請求項１記載の同軸型電気コネクタ。
【請求項３】
前記外方側コンタクトの内周表面及び前記内方側コンタクトの外周表面に、互いに係合関係を有するロック部が設けられ、
前記内方側コンタクトに設けられたロック部が、当該内方側コンタクトの外周表面から径方向外方側に突出する環状凸形状をなすように形成されているとともに、
前記外方側コンタクトに設けられたロック部が、当該外方側コンタクトの内周表面から径方向外方側に窪む環状凹形状をなすように形成されていることを特徴とする請求項１記載の同軸型電気コネクタ。
【請求項４】
前記外方側コンタクトが、前記プラグコネクタの一部を構成しているとともに、
前記内方側コンタクトが、前記リセプタクルコネクタの一部を構成していることを特徴とする請求項１記載の同軸型電気コネクタ。
【発明の詳細な説明】
【技術分野】
【０００１】
本発明は、円筒状コンタクト同士が嵌合・抜去されるように構成された同軸型電気コネクタに関する。
【背景技術】
【０００２】
一般に、種々の電気機器等において、同軸ケーブル等の各種信号伝送媒体を電気的に接続するための電気コネクタが広く用いられている。例えば図９に示されている同軸型電気コネクタにおいては、印刷配線基板上に実装されて使用されるリセプタクルコネクタ１に対して、信号伝送媒体としての同軸ケーブル（本発明を表した図２中の符号ＳＣ参照）の端末部分を連結されたプラグコネクタ２が、図示の上下方向に嵌合・抜去可能となるように構成されたものである。そのうちのリセプタクルコネクタ１は、板状をなす絶縁ハウジング１ａに、信号伝送用の中心コンタクト１ｂと、接地グランド用の外部コンタクト１ｃとが、略同心状をなすように取り付けられている。また、プラグコネクタ２の絶縁ハウジング２ａは、上述した同軸リセプタクルコネクタ１に向かって略円錐形状に突出するように形成されており、その絶縁ハウジング２ａの内外に、信号伝送用の中心コンタクト２ｂと、接地グランド用の外部コンタクト２ｃとが、略同心状に取り付けられている。
【０００３】
そして、リセプタクルコネクタ１に対して、相手方コネクタであるプラグコネクタ２が上方側から下方に向かって挿入されると、リセプタクルコネクタ１の外部コンタクト１ｃの先端開口部分に、プラグコネクタ２の外部コンタクト２ｃの先端開口部分が、径方向の内外に重なり合うように嵌合されてロックされる構成になされている。すなわち、上述したようにして嵌合された両外部コンタクト１ｃ，２ｃのうち、径方向の内側に位置する内方側コンタクト１ｃの外周表面には、径方向の内方側に向かって窪む環状凹形状をなすロック部１ｄが設けられているとともに、径方向の外側に位置する外方側導電コンタクト２ｃの内周表面に、径方向の内方側に向かって突出する環状凸形状のロック部２ｄが設けられている。そして、上述した両コネクタ１，２同士の嵌合時には、同軸プラグコネクタ２側のロック部２ｄが、同軸リセプタクルコネクタ１側のロック部１ｄ内に落とし込まれるようにして係合状態となり、両コネクタ１，２同士の嵌合状態が保持されるようになっている。
【０００４】
一方、このような同軸型電気コネクタにおいても、他の電子部品と同様に、軽薄短小化の要請に伴う小型化及び低背化が近年急速に進められているが、小型化及び低背化を行うと、両コネクタ同士を嵌合させるにあたっての位置合わせが難しくなり、例えば図１０に示されているように、リセプタクルコネクタ１に対して、相手方コネクタとしてのプラグコネクタ２が傾斜した状態で嵌合されてしまい、破損の原因になったり、両コネクタ１，２同士の電気的な接触性に問題を生じるおそれがある。
【０００５】
さらに、従来の同軸型電気コネクタでは、両コネクタ同士を嵌合させるにあたって、外方側コンタクトの内周表面が、内方側コンタクトに対して軽圧入の状態となる。そのため、外方側コンタクトが径方向の外方側に押し広げられるようにして挿入されていくが、その際に両コネクタの中心コンタクト同士の接触も略同時に開始するので、嵌合作業における負荷が大きくなって、嵌合作業時における電気コネクタの姿勢やバランスが崩れやすいという問題がある。
【先行技術文献】
【特許文献】
【０００６】
【特許文献１】特開２００１−４３９３９号公報
【発明の概要】
【発明が解決しようとする課題】
【０００７】
そこで本発明は、簡易な構成で、両コネクタ同士の嵌合作業を容易かつ正確に行うことができるようにした同軸型電気コネクタを提供することを目的とする。
【課題を解決するための手段】
【０００８】
上記目的を達成するため本発明では、印刷配線基板上に実装されるリセプタクルコネクタと、信号伝送媒体の端末部が連結されるプラグコネクタとが嵌合・抜去可能となるように構成されたものであって、前記リセプタクルコネクタを構成する円筒状コンタクトの先端開口部分に、前記プラグコネクタを構成する円筒状コンタクトの先端開口部分が、径方向の内外に重なり合うように挿入される構成になされた同軸型電気コネクタにおいて、前記両円筒状コンタクトのうちの径方向内側に位置する内方側コンタクトの外周表面に、所定の外径寸法Ｄ１を有する挿入基準面が、軸方向の所定長Ｌにわたって延在するように形成されているとともに、前記両円筒状コンタクトのうちの径方向外側に位置する外方側コンタクトの内周表面が、前記内方側コンタクトの挿入基準面の外径寸法Ｄ１に対して略同一の内径寸法Ｄ２（Ｄ２≒Ｄ１）を有する嵌め合い関係に設定された構成が採用されている。
【０００９】
このような構成を有する本発明によれば、両コネクタ同士を嵌合させるにあたって、まず外方側コンタクトの内周表面が、その外方側コンタクトと略同一寸法を有するように内方側コンタクトの外周表面に設けられた挿入基準面により位置決めされつつ円滑に挿入されていくこととなり、従来のようにリセプタクルコネクタの軸方向に対してプラグコネクタが傾斜することなく、しかも外方側コンタクトが径方向の外方側に押し広げられることもないので、当該外方側コンタクトの挿入作業は安定かつ正確に行われるとともに挿入力が小さく抑えられる。その結果、両コネクタ同士の嵌合時における姿勢安定性が向上され、従来における、いわゆる斜め嵌合が防止されて良好な嵌合状態が得られるとともに電気的な接触状態が向上される。
【００１０】
また、本発明においては、外方側コンタクトが取り付けられた絶縁ハウジングに、前記内方側コンタクトの内周表面に沿って軸方向に延在する略円筒形状の挿入ガイド部が設けられていることが望ましい。
【００１１】
このような構成を有する本発明によれば、両コネクタ同士を嵌合させる際に、外方側コンタクトと、当該外方側コンタクトを保持する絶縁ハウジングに設けられた挿入ガイド部との間に、内方側コンタクトが挟み込まれた状態となり、嵌合された後における両コネクタの動きが規制された状態になされる。その結果、例えば信号伝送媒体を介在して、いわゆる煽り等による外力が付加されても、両コネクタ同士の嵌合状態が良好に維持され、一方のコネクタが離脱・抜去されるような事態が防止される。また、外方側コンタクトを保持する絶縁ハウジングには、従来のような両コネクタの斜め嵌合を許容するためのテーパ面が形成されなくなることから、その分、絶縁ハウジングの肉厚が十分に確保されることとなって絶縁ハウジングの強度が向上され、嵌合操作に対する耐久性・信頼性が向上されるようになっている。
【００１２】
また、本発明においては、前記外方側コンタクトの内周表面及び前記内方側コンタクトの外周表面に、互いに係合関係を有するロック部が設けられ、前記内方側コンタクトに設けられたロック部が、当該内方側コンタクトの外周表面から径方向外方側に突出する環状凸形状をなすように形成されているとともに、前記外方側コンタクトに設けられたロック部が、当該外方側コンタクトの内周表面から径方向外方側に窪む環状凹形状をなすように形成されていることが可能である。
【００１３】
また、本発明においては、前記外方側コンタクトが、前記プラグコネクタの一部を構成しているとともに、前記内方側コンタクトが、前記リセプタクルコネクタの一部を構成していることが可能である。
【発明の効果】
【００１４】
以上述べたように本発明にかかる同軸型電気コネクタは、径方向の内外に重なり合う位置関係となる両円筒状コンタクトのうちの内方側コンタクトの外周表面に、所定の外径寸法Ｄ１を有する挿入基準面を軸方向に所定長Ｌにわたって延在するように設けるとともに、その内方側コンタクトの挿入基準面の外径寸法Ｄ１に対して外方側コンタクトの内周表面を、略同一の内径寸法Ｄ２（Ｄ２≒Ｄ１）を有する嵌め合い関係として、両コネクタ同士を嵌合させるにあたって、内方側コンタクトの挿入基準面により外方側コンタクトを位置決めしつつ円滑に挿入可能とし、外方側コンタクトの挿入作業を安定かつ正確に行わせるとともに挿入力を小さく抑えて、両コネクタ同士の嵌合時における姿勢安定性を向上させ、いわゆる斜め嵌合を防止して良好な嵌合状態を得るとともに電気的な接触状態を向上させるように構成したものであるから、簡易な構成で、コネクタ同士の嵌合作業を容易かつ正確に行わせることができ、同軸型電気コネクタの信頼性を安価かつ大幅に高めることができる。
【図面の簡単な説明】
【００１５】
【図１】本発明の一実施形態にかかる同軸型電気コネクタの一方を構成するリセプタクルコネクタの構造を表した外観斜視説明図である。
【図２】本発明の一実施形態にかかる同軸型電気コネクタの他方を構成するプラグコネクタの構造を表した外観斜視説明図である。
【図３】プラグコネクタとリセプタクルコネクタの嵌合直前の状態を、同軸ケーブルの軸線方向と直交する方向で切断した横断面説明図である。
【図４】プラグコネクタをリセプタクルコネクタの仮挿入位置まで挿入した状態を、同軸ケーブルの軸線方向と直交する方向で切断した横断面説明図である。
【図５】プラグコネクタとリセプタクルコネクタが嵌合した状態を、同軸ケーブルの軸線方向と直交する方向で切断した横断面説明図である。
【図６】プラグコネクタとリセプタクルコネクタが嵌合した状態を、同軸ケーブルの軸線方向で切断した縦断面説明図である。
【図７】本発明の他の実施形態にかかる同軸型電気コネクタを構成するリセプタクルコネクタとプラグコネクタと嵌合前の状態を、同軸ケーブルの軸線方向と直交する方向で切断した横断面説明図である。
【図８】本発明の他の実施形態にかかる同軸型電気コネクタを構成するリセプタクルコネクタとプラグコネクタと嵌合した状態を、同軸ケーブルの軸線方向と直交する方向で切断した横断面説明図である。
【図９】従来におけるプラグコネクタとリセプタクルコネクタとの嵌合直前の状態を、同軸ケーブルの軸線方向と直交する方向で切断した横断面説明図である。
【図１０】従来におけるプラグコネクタとリセプタクルコネクタとの嵌合作業において斜め挿入になった状態を、同軸ケーブルの軸線方向と直交する方向で切断した横断面説明図である。
【発明を実施するための形態】
【００１６】
以下、本発明の実施の形態を図面に基づいて詳細に説明する。
【００１７】
まず、図１〜図６に示された本発明の第１の実施形態にかかる同軸型電気コネクタの組立体は、印刷配線基板（図示省略）上に実装される垂直嵌合型のリセプタクルコネクタ１０（図１参照）と、その相手方コネクタとしてのプラグコネクタ２０（図２参照）とから構成されたものであって、リセプタクルコネクタ１０に対してプラグコネクタ２０が上方側から嵌合され又は抜去されるようになっている。以下、このリセプタクルコネクタ１０にプラグコネクタ２０を差し込む嵌合方向を「下方向」とし、それと反対の抜き出す抜去方向を「上方向」とする。
【００１８】
［リセプタクルコネクタについて］
このような同軸型電気コネクタ嵌合体の一方を構成するリセプタクルコネクタ１０は、平面略矩形状の絶縁性板状部材からなる絶縁ハウジング（誘電体）１１を備えており、その絶縁ハウジング１１に、中空の円筒状コンタクト部材からなる中心コンタクト（シグナルコンタクト）１２及び外部コンタクト（グランドコンタクト）１３が、略同心状をなすようにしてインサート成形により固定されている。それらの中心コンタクト１２及び外部コンタクト１３は、各々信号伝送用及び接地グランド用として使用されるものであって、上述した絶縁ハウジング１１の内部に埋設された半田接続端子部１２ａ，１３ａと、その半田接続端子部１２ａ，１３ａから連続するように設けられた嵌合接触部１２ｂ，１３ｂと、をそれぞれ備えている。
【００１９】
その中心コンタクト１２及び外部コンタクト１３に設けられた半田接続端子部１２ａ，１３ａは、絶縁ハウジング１１の下面から露出した状態で略水平に延在する板状部材から形成されており、一体の半田接続端子部１２ａが延在する方向と異なる三方向に向かって三体の半田接続端子部１３ａが延在している。それらの各半田接続端子部１２ａ，１３ａの下面は、絶縁ハウジング１１の下面と略同一面をなして下方側に露出するように配置されており、上述した印刷配線基板（図示省略）の表面上に接触する配置関係になされている。これらの半田接続端子部１２ａ，１３ａの延出側の先端部分は、絶縁ハウジング１１の側壁面から外方に突出するように形成されていて、その外方側突出部分の先端面が、印刷配線基板上の導電路に対して半田付けされるようになっている。
【００２０】
一方、嵌合接触部１２ｂ，１３ｂは、上述したように略水平に延在する半田接続端子部１２ａ，１３ａの奥側端部から略直角上方に立ち上がるように形成されており、それらの嵌合接触部１２ｂ，１３ｂが、絶縁ハウジング１１の上側表面から上方に向かって鉛直上方に突出するように形成されている。このうちの中心コンタクト１２の一部を構成している嵌合接触部１２ｂは、水平方向の横断面が略円形状をなす中空ピン状部材から形成されているとともに、その中心コンタクト１２の嵌合接触部１２ｂを同心状に取り囲むようにして、外部コンタクト１３の一部を構成する中空円筒状部材からなる嵌合接触部１３ｂが配置されている。これらの中心コンタクト１２の嵌合接触部１２ｂ、及び外部コンタクト１３の嵌合接触部１３ｂのそれぞれには、後述する相手方コネクタとしてのプラグコネクタ２０の対応する部位が嵌合され又は抜去されるようになっている。
【００２１】
このとき、上述した外部コンタクト１３の嵌合接触部１３ｂを構成している中空円筒状部材には、当該中空円筒状部材を円周方向に不連続とする切断ギャップ部１３ｂ１が、軸方向に延在するように設けられていて、この切断ギャップ部１３ｂ１の隙間分だけ嵌合接触部１３ｂが円周方向に弾性変位可能になされている。
【００２２】
［プラグコネクタについて］
一方、本実施形態にかかる同軸型電気コネクタ嵌合体の他方側のコネクタを構成しているプラグコネクタ２０は、前述したようにリセプタクルコネクタ１０に対して上方側から嵌合される垂直嵌合型コネクタとして構成されたものであるが、そのプラグコネクタ２０の絶縁ハウジング２１には、信号伝送媒体としての細線同軸ケーブルＳＣの端末部分が連結されている。以下、このプラグコネクタ２０に細線同軸ケーブルＳＣが連結される側の端縁部を「後端縁部」と呼び、それとは反対側の端縁部を「前端縁部」と呼ぶこととし、さらに、それらの後端縁部及び前端縁部に向かう各々の方向を「後方」及び「前方」と呼ぶものとする。
【００２３】
このプラグコネクタ２０の絶縁ハウジング（誘電体）２１には、略円筒形状をなして下方に突出する本体挿入ガイド部２１ａが設けられている。その本体挿入ガイド部２１ａの外周表面は、前述したリセプタクルコネクタ１０の外部コンタクト１３の内周表面に対して僅かに小さい外径寸法を有しており、当該プラグコネクタ２０の本体挿入ガイド部２１ａが、両コネクタ１０，２０同士の嵌合時に、リセプタクルコネクタ１０の外部コンタクト１３の内周表面に沿って下方に滑動するように構成されている。
【００２４】
このプラグコネクタ２０に設けられた絶縁ハウジング２１の上端側中心部分には、信号伝送用の中心コンタクト（シグナルコンタクト）２２が配置されているとともに、絶縁ハウジング２１の外側表面には、薄板金属状部材からなる導電性シェル２３が装着されている。そのうちの導電性シェル２３は、上述した絶縁ハウジング２１の本体挿入ガイド部２１ａを外方側から環状に覆う中空円筒状コンタクト部材からなる外部コンタクト２３ａをシェル本体部として備えているとともに、この外部コンタクト２３ａの上部には、当該外部コンタクト２３ａの上端開口部及び絶縁ハウジング２１を上方側から覆うシェル蓋部２３ｂが一体的に連設されている。
【００２５】
この導電性シェル２３のシェル本体部を構成する外部コンタクト２３ａは、比較的大径の円筒状部材から形成されており、前述したリセプタクルコネクタ１０との嵌合時に外部コンタクト１３の外方側に嵌着される構成になされている。すなわち、このプラグコネクタ２０における円筒状コンタクトとしての外部コンタクト２３ａの先端開口部分は、前述したリセプタクルコネクタ１０における円筒状コンタクトとしての外部コンタクト１３の先端開口部分に対して、径方向に外内の位置関係で略同心状に重なり合うように挿入される構成になされている。
【００２６】
このように本実施形態においては、両コネクタ１０，２０同士が略同心状をなす嵌合状態となり、プラグコネクタ２０の外部コンタクト２３ａが径方向の外側に位置し、リセプタクルコネクタ１０の外部コンタクト１３が径方向の内側に位置する。従って、本発明でいう「外方側コンタクト」は、プラグコネクタ２０の外部コンタクト２３ａであり、リセプタクルコネクタ１０の外部コンタクト１３は、本発明でいう「内方側コンタクト」に相当するものであるから、以下において、プラグコネクタ２０の外部コンタクト２３ａを、「外方側コンタクト」と呼び、リセプタクルコネクタ１０の外部コンタクト１３を「内方側コンタクト」と呼ぶ。なお、これらの外方側コンタクト２３ａ及び内方側コンタクト１３の詳細な構成については後述する。
【００２７】
一方、導電性シェル２３の一部を構成しているシェル蓋部２３ｂは、上述した外方側コンタクト（外部コンタクト）２３ａの上端側開口部分を覆うように上方側から被さる構成になされている。このシェル蓋部２３ｂの後端側部分には、縦断面略半円形状をなすケーブル支持部２３ｃが後方側に向かって略水平に突出するように設けられており、そのケーブル支持部２３ｃによって、上述した細線同軸ケーブルＳＣの端末部分が保持されるようになっている。
【００２８】
一方、前述した信号伝送媒体としての細線同軸ケーブルＳＣの端末部分は、外周被覆材が皮剥きされることによってケーブル中心導体（信号線）ＳＣａ、及びケーブル外部導体（シールド線）ＳＣｂが同軸状をなすように露出されており、当該細線同軸ケーブルＳＣの中心軸線に沿うようにして配置されたケーブル中心導体ＳＣａが、絶縁ハウジング２１に取り付けられた中心コンタクト（シグナルコンタクト）２２に接続されることによって信号回路が構成されるようになっている。また、そのケーブル中心導体ＳＣａの外周側を取り囲むように配置されたケーブル外部導体ＳＣｂは、導電性シェル２３のシェル蓋部２３ｂに接触するように保持され、そのシェル蓋部２３ｂが外方側コンタクト２３ａに連続していることによりグランド回路が構成されるようになっている。
【００２９】
このとき、細線同軸ケーブルＳＣの端末部分を連結して固定する前の初期状態においては、上述した導電性シェル２３のシェル蓋部２３ｂが、上方へ開放された状態になされている。すなわち、その初期状態におけるシェル蓋部２３ｂは、上述したケーブル支持部２３ｃの反対側、つまりシェル本体部としての外方側コンタクト２３ａの前端側部分に、細幅状部材からなる繋ぎ部材２３ｅを介して略鉛直上方に立ち上がるように配置されている。また、そのシェル蓋部２３ｂの内方側には、前述した絶縁ハウジング２１の本体挿入ガイド部２１ａから上方に立ち上がる絶縁押圧板２１ｂが、シェル蓋部２３ｂの内表面に沿うように配置されている。
【００３０】
そして、導電性シェル２３の初期開放状態において、細線同軸ケーブルＳＣの端末部分がケーブル支持部２３ｃに受けられるように載置されてセットされた後に、繋ぎ部材２３ｅが絶縁押圧板２１ｂとともに略直角に折り曲げられるようにしてシェル蓋部２３ｂが回動して略水平状態まで押し倒される。これによって、絶縁ハウジング２１の本体挿入ガイド部２１ａ、及び導電性シェル２３の外方側コンタクト２３ａの上端開口部分がシェル蓋部２３ｂにより上方側から覆われ、絶縁ハウジング２１及び導電性シェル２３が閉塞状態になされる。このシェル蓋部２３ｂのケーブル支持部２３ｃは、上述した細線同軸ケーブルＳＣに対して上方側部分から外側部分を覆うように被せられる構成になされていて、そのシェル蓋部２３ｂの両側板状部材が内方側に折り曲げられてカシメによる固定が行われ、ケーブル外部導体ＳＣｂが、ケーブル支持部２３ｃに接触することで導電性シェル２３によるグランド回路が構成されることとなる。
【００３１】
ここで、プラグコネクタ２０に設けられた中心コンタクト（シグナルコンタクト）２２は、絶縁ハウジング２１の本体挿入ガイド部２１ａに圧入又はインサート成形等により取り付けられていて、特に図６に示されているように、上述した細線同軸ケーブルＳＣのケーブル中心導体（信号線）ＳＣａに接続されるケーブル挟持部２２ａと、そのケーブル挟持部２２ａから下方側に向かって延出して、前述したようにリセプタクルコネクタ１０の中心コンタクト１２に接触するコンタクト接触部２２ｂとを有している。
【００３２】
そのうちのケーブル挟持部２２ａは、側面視したときの形状が略Ｕ字形状を横長に倒した形状をなすように折り曲げ形成されたクリップビーム構造を有しており、細線同軸ケーブルＳＣのケーブル中心導体（信号線）ＳＣａを上下からクリップ状に挟むように形成されている。このケーブル挟持部２２ａを構成している上側ビーム部の途中部分には、前記ケーブル中心導体（信号線）ＳＣａを上方側から押圧する下方突起部が設けられている。
【００３３】
なお、上述した細線同軸ケーブルＳＣの端末部分を連結する前の初期状態においては、ケーブル挟持部２２ａの上側ビーム部分も上方側に開放された状態になされている。すなわち、その初期開放状態におけるケーブル挟持部２２ａの上側ビーム部分は、斜め上方に向かって立ち上がる形状を有しており、細線同軸ケーブルＳＣの端末部分がケーブル支持部２３ｃ上に載置されてセットされた状態から、前述したように導電性シェル２３のシェル蓋部２３ｂが絶縁押圧板２１ｂとともに略水平状態まで押し倒されると、当該ケーブル挟持部２２ａの上側ビーム部分が絶縁押圧板２１ｂによって略水平状態まで押し倒され、ケーブル中心導体（信号線）ＳＣａを上方側から押圧するように構成されている。
【００３４】
また、中心コンタクト（シグナルコンタクト）２２のコンタクト接触部２２ｂは、上述したリセプタクルコネクタ１０の中心コンタクト（シグナルコンタクト）１２に対して、外方側から圧入される中空状部材から形成されており、絶縁ハウジング２１の本体挿入ガイド部２１ａの内部において、上述したケーブル挟持部２２ａから下方に向かって片持ち状をなして横断面略逆Ｕ字状をなすように延出しており、リセプタクルコネクタ１０の中心コンタクト１２に対して、当該コンタクト接触部２２ｂの弾性変位作用によって圧接される構成になされている。
【００３５】
［円筒状コンタクトの構成について］
ここで、前述したように本実施形態においては、プラグコネクタ２０の円筒状コンタクトを構成する外方側コンタクト（外部コンタクト）２３ａが、リセプタクルコネクタ１０の円筒状コンタクトを構成する内方側コンタクト（外部コンタクト）１３の外方側に略同心状に重なり合う位置関係で嵌合される構成になされているが、このような嵌合関係において、リセプタクルコネクタ１０の内方側コンタクト１３には、その外周表面の上方側先端開口部分に、所定の外径寸法Ｄ１を有する挿入基準面１３ｃが形成されている。この挿入基準面１３ｃは、内方側コンタクト１３の上方側先端開口縁から軸方向下方に所定長Ｌにわたって延在するように設けられており、このリセプタクルコネクタ１０の挿入基準面１３ｃの下端位置にロック部１３ｄが設けられている。ロック部１３ｄは、内方側コンタクト１３の外周表面から径方向の外方側に突出する環状凸形状をなすように設けられている。
【００３６】
このリセプタクルコネクタ１０の挿入基準面１３ｃの外方側には、プラグコネクタ２０の外方側コンタクト２３ａが外嵌され、その外方側コンタクト２３ａにおける下端側先端開口部分の内周表面が、挿入基準面１３ｃの外周表面に接触するようにして挿入される構成になされている。すなわち、このプラグコネクタ２０の外方側コンタクト２３ａでは、リセプタクルコネクタ１０側に挿入される下端側先端開口部分における内周表面の内径寸法Ｄ２が、リセプタクルコネクタ１０側に設けられた挿入基準面１３ｃの外径寸法Ｄ１と略同一の寸法（Ｄ２≒Ｄ１）に形成されており、これによって両コネクタ１０，２０同士の嵌合時に、略同径同士の嵌め合い関係が行われる設定になされている。
【００３７】
また、プラグコネクタ２０の外方側コンタクト２３ａがリセプタクルコネクタ１０側に挿入される下端側先端開口部分の内周表面には、上述したリセプタクルコネクタ１０側に設けられたロック部１３ｄに嵌合されるロック部２３ｄが設けられている。このロック部２３ｄは、外方側コンタクト２３ａの内周表面から径方向の外方側に窪む環状凹形状をなすように設けられている。
【００３８】
このような構成を有する本発明によれば、両コネクタ１０，２０同士を嵌合させるにあたって、まずプラグコネクタ２０の外方側コンタクト２３ａの内周表面が、リセプタクルコネクタ１０の内方側コンタクト１３の外周表面に略同一寸法で設けられた挿入基準面１３ｃにより位置決めされつつ円滑に挿入されていくこととなる。従って、従来のようにリセプタクルコネクタ１０の軸方向に対してプラグコネクタ２０が傾斜することなく、しかも外方側コンタクト２３ａが径方向の外方側に押し広げられることもないので、当該外方側コンタクト２３ａの挿入作業は安定かつ正確に行われるとともに挿入力が小さく抑えられる。その結果、両コネクタ１０，２０同士の嵌合時における姿勢安定性が向上され、従来における、いわゆる斜め嵌合が防止されて良好な嵌合状態が得られるとともに電気的な接触状態が向上される。
【００３９】
また、本実施形態においては、リセプタクルコネクタ２０の外方側コンタクト２３ａが取り付けられた絶縁ハウジング２１の挿入ガイド部２１ａが、当該外方側コンタクト２３ａの径方向内方側に設けられ、その挿入ガイド部２１ａの外周表面が、リセプタクルコネクタ１０の内方側グランドコンタクト１３の内周表面に沿って略軸方向に延在する略円筒形状をなすように形成されていることから、両コネクタ１０，２０同士を嵌合させる際に、外方側コンタクト２３ａと、当該外方側コンタクト２３ａを保持する絶縁ハウジング２１に設けられた挿入ガイド部２１ａとの間に、内方側コンタクト１３が挟み込まれた状態となり、嵌合された後における両コネクタ１０，２０の動きが規制された状態になされる。その結果、例えば信号伝送媒体を介在して、いわゆる煽り等による外力が付加されても、両コネクタ１０，２０同士の嵌合状態が良好に維持されることとなり、一方のコネクタが離脱・抜去されるような事態が防止される。また、プラグコネクタ２０の外方側コンタクト２３ａを保持する絶縁ハウジング２１には、従来のような両コネクタ１０，２０の斜め嵌合を許容するためのテーパ面が形成されなくなることから、その分、絶縁ハウジング２１の肉厚が十分に確保されることとなって絶縁ハウジング２１の強度が向上され、嵌合操作に対する耐久性・信頼性が向上される。
【００４０】
一方、上述した第１の実施形態に対応する構成部材を示す各符号に対して、「１００」を加算した符号を付した図７及び図８にかかる第２の実施形態においては、リセプタクルコネクタ１１０に設けられた挿入基準面１１３ｃが比較的小さい外径を有する細径状の構造になされていることによって、両コネクタ１１０，１２０同士の嵌合時に、略同径同士の嵌め合い関係が行われる設定になされている。
【００４１】
また、プラグコネクタ１２０の外方側コンタクト１２３ａの内周表面には、環状凸形状をなすロック部１２３ｄが設けられているとともに、リセプタクルコネクタ１１０の内方側コンタクト１１３の外周表面に、軸方向に隣接する凸形状と凹形状との組み合わせからなるロック部１１３ｄが設けられている。そのリセプタクルコネクタ１１０側のロック部１１３ｄは、軸方向の上方側に配置された環状凸形状部分の軸方向直下位置に環状凹形状部分が形成された構成になされている。
【００４２】
このような実施形態によれば、両コネクタ１１０，１２０同士の嵌合時に、プラグコネクタ１２０側の凸形状をなすロック部１２３ｄが、リセプタクルコネクタ１１０側の凸凹形状からなるロック部１１３ｄに対して乗り越えるように移動されるため、いわゆる嵌合時のクリック感が強く得られる。
【００４３】
以上、本発明者によってなされた発明を実施形態に基づき具体的に説明したが、本実施形態は上述した実施形態に限定されるものではなく、その要旨を逸脱しない範囲で種々変形可能であるというのはいうまでもない。
【００４４】
例えば、上述した実施形態では、垂直嵌合型の電気コネクタに本発明を適用したものであるが、水平嵌合型の電気コネクタに対しても同様に適用することができる。
【００４５】
さらに本発明は、上述した実施形態のような単体の細線同軸ケーブル用コネクタに限定されることはなく、多極状に配置された細線同軸ケーブル用コネクタや、細線同軸ケーブルと絶縁ケーブルとが複数混合したタイプの電気コネクタや、フレキシブル配線基板等が連結される電気コネクタ等についても同様に適用することが可能である。
【産業上の利用可能性】
【００４６】
以上のように本実施形態は、各種電気機器に使用される多種多様な同軸型電気コネクタに対して広く適用することが可能である。
【符号の説明】
【００４７】
１０  リセプタクルコネクタ
１１  絶縁ハウジング
１２  中心コンタクト
１２ａ  半田接続端子部
１２ｂ  嵌合接触部
１３  外部コンタクト（内方側コンタクト）
１３ａ  半田接続端子部
１３ｂ  嵌合接触部
１３ｂ１  切断ギャップ部
１３ｃ  挿入基準面
１３ｄ  ロック部
２０  プラグコネクタ
２１  絶縁ハウジング
２１ａ  本体挿入ガイド部
２２  中心コンタクト
２２ａ  ケーブル挟持部
２２ｂ  コンタクト接触部
２３  導電性シェル
２３ａ  外部コンタクト（外方側コンタクト）
２３ｂ  シェル蓋部
２３ｃ  ケーブル支持部
２３ｄ  ロック部
２３ｅ  繋ぎ部材
ＳＣ  細線同軸ケーブル
ＳＣａ  ケーブル中心導体
ＳＣｂ  ケーブル外部導体
１１０  リセプタクルコネクタ
１１３  内方側コンタクト
１１３ｃ  挿入基準面
１１３ｄ  ロック部
１２０  プラグコネクタ
１２３ａ  外方側コンタクト
１２３ｄ  ロック部
【図１】
2012230820.tif 000003
【図２】
2012230820.tif 000004
【図３】
2012230820.tif 000005
【図４】
2012230820.tif 000006
【図５】
2012230820.tif 000007
【図６】
2012230820.tif 000008
【図７】
2012230820.tif 000009
【図８】
2012230820.tif 000010
【図９】
2012230820.tif 000011
【図１０】
2012230820.tif 000012